(57)【要約】フィッシャー−トロプシュ誘導型成分等の合成潤滑基油、及び非合成型潤滑基油を含む潤滑基油が、実質的に酸化防止用添加剤及び酸化促進剤が存在しなくてさえも、貯蔵中及びエンジン又はその他の用途で使用途中の酸化に対する改良された安定性を有することを明確にしている。
2005503479.tif 000002
【特許請求の範囲】
【請求項１】
ａ）５０％より多いイソパラフィン含量を有する少なくとも１つの合成潤滑基油、及び
ｂ）グループＩの潤滑基油、硫黄含量が約５０ｐｐｍより多いグループＩＩの潤滑基油、石油誘導型グループＶの潤滑基油、又はそれらの混合物からなる群から選択される少なくとも１パーセントの非合成潤滑基油を含む潤滑基油であって、添加剤なしで前記合成潤滑基油の安定性より優れた安定性を有しており、添加剤の存在下で前記非合成潤滑基油より優れた安定性を有する
潤滑基油。
【請求項２】
前記合成潤滑基油を、フィッシャー−トロプシュ法により調製する請求項１に記載の潤滑基油。
【請求項３】
前記合成潤滑基油が、約２０から約８０容量％の量で存在する請求項１に記載の潤滑基油。
【請求項４】
ａ）硫黄含量が約５０ｐｐｍ未満の少なくとも１つの合成潤滑基油、及び
ｂ）約３００ｐｐｍより多い硫黄含量を有しており、グループＩの潤滑基油、石油誘導型グループＶの潤滑基油、又はそれらの混合物からなる群から選択される少なくとも１パーセントの非合成潤滑基油を含む潤滑基油であって、添加剤なしで前記合成潤滑基油の安定性より優れた安定性を有しており、添加剤の存在下で前記非合成潤滑基油より優れた安定性を有する
潤滑基油。
【請求項５】
前記合成潤滑基油を、フィッシャー−トロプシュ法により調製する請求項４に記載の潤滑基油。
【請求項６】
前記非合成潤滑基油が、約７００ｐｐｍより多い硫黄含量を有する請求項４に記載の潤滑基油。
【請求項７】
前記合成潤滑基油が、添加剤の存在下で７より大きいオキシデーターＢＮ値を有する請求項４に記載の潤滑基油。
【請求項８】
前記合成潤滑基油が、添加剤の存在下で１０より大きいオキシデーターＢＮ値を有する請求項７に記載の潤滑基油。
【請求項９】
前記非合成潤滑基油が、添加剤なしで約５より大きいオキシデーターＡ値を有する請求項４に記載の潤滑基油。
【請求項１０】
ａ）添加剤なしで約１より小さいオキシデーターＡ値、及び添加剤の存在下で約７より大きいオキシデーターＢＮ値を有する少なくとも１つの合成潤滑基油、及び
ｂ）添加剤なしで約５より大きいオキシデーターＡ値、及び添加剤の存在下で約１０より小さいオキシデーターＢＮ値を有する非合成潤滑基油
を含む潤滑基油であって、
添加剤なしで前記合成潤滑基油の安定性より優れた安定性を有しており、添加剤の存在下で前記非合成潤滑基油より優れた安定性を有する
潤滑基油。
【請求項１１】
前記油が、１５０°Ｆで測定した時、９０日を超える炉内貯蔵安定性を有する請求項１に記載の潤滑基油。
【請求項１２】
前記合成油を、約５０％から約９９％までの量で、かつ前記非合成油を約５０％から約１％の量で使用する請求項１に記載の潤滑基油。
【発明の詳細な説明】
【技術分野】
【０００１】
本発明は、添加剤を含む場合と添加剤を含まない場合の両方で、改良された酸化安定性を提供する潤滑基油のブレンドに関する。
【背景技術】
【０００２】
自動車、ジーゼルエンジン、及び産業上の用途に使用する潤滑油完成品は、２つの一般的な成分である潤滑基油及び添加剤からなる。一般的に言って、個々の潤滑基油及び個々の添加剤の混合物を変化させることにより多種多様な潤滑油完成品を生み出すために使用される潤滑基油は少ない。そのため、潤滑基油は、使用前は添加剤を加えないで貯蔵しておくことが必要である。また、潤滑基油は、商取引品目であり、売買交換される。潤滑基油を受け取る側は、特別な潤滑油完成品を配合したいので、彼等は、添加剤を既に含有している潤滑基油は受け取りたがらない。そのため、潤滑基油は、殆んどすべての場合、添加剤を含有しておらず、単に石油又は他の供給源から調製した炭化水素でしかない。したがって、潤滑基油にとっての１つの一般的な必要条件は、輸送及び貯蔵する間の良好な安定性を、添加剤なしでそれが有することである。さらに、潤滑油完成品は、できるだけ良好な安定性を有することが望ましい。この場合、その安定性とは、業務用機器での使用を模した添加剤及び他の配合物の存在下で輸送及び貯蔵する間の酸化及び沈殿物の形成に対する耐性である。好ましい潤滑基油とは、添加剤を含まない場合の良好な安定性と添加剤を含む場合の良好な安定性の組合せを有するものである。
【０００３】
したがって、潤滑基油の技術分野においては、添加剤を含む場合と含まない場合の両方で、良好な安定性を有することが必要である。さらに当分野には、少なくとも１つの安定性の尺度に大抵は欠ける潤滑基油の貯蔵品から、この改良された潤滑基油を製造する方法の必要性が存在する。そのうえ、特別の添加剤を必要性としないで良好な安定性を提供することができる潤滑基油の必要性が当分野にはある。本発明は、そのような潤滑基油を提供する。
【発明の開示】
【発明が解決しようとする課題】
【０００４】
本発明は、酸化に対する安定性が改良された潤滑基油を対象とする。特に、本発明の一実施形態の潤滑基油製品は、合成潤滑基油及び非合成潤滑基油の混合物であって、該潤滑基油製品は、添加剤なしで合成潤滑基油の安定性より優れた安定性を有しており、添加剤の存在下で非合成潤滑基油より優れた安定性を有する。
【課題を解決するための手段】
【０００５】
本発明による潤滑基油は、５０％より多いイソパラフィン含量を有する少なくとも１つの合成潤滑基油、及びグループＩの潤滑基油、又は硫黄含量が約５０ｐｐｍより多いグループＩＩの潤滑基油、又は石油誘導型グループＶの潤滑基油、又はそれらの混合物からなる群から選択される少なくとも１パーセントの非合成潤滑基油を含む。好ましくは、その合成潤滑基油のオキシデーターＡ値は、添加剤なしで約１未満であり、その非合成潤滑基油は、添加剤なしで約５より大きいオキシデーターＡ値を有する。本発明の一実施形態において、合成潤滑基油は、フィッシャー−トロプシュ法により得られる。
【０００６】
本発明の他の実施形態においては、硫黄含量が約５０ｐｐｍ未満の少なくとも１つの合成潤滑基油、及び約３００ｐｐｍより多い硫黄含量を有しており、グループＩの潤滑基油、又は石油誘導型グループＶの潤滑基油、又はそれらの混合物を含む群から選択される少なくとも１パーセントの非合成潤滑基油を含む潤滑基油が提供される。好ましくは、その合成潤滑基油のオキシデーターＡ値は約１未満であり、その非合成潤滑基油は約５より大きいオキシデーターＡ値を有する。
【０００７】
本発明の他の実施形態においては、添加剤なしで約１より大きいオキシデーターＡ値及び添加剤の存在下で７より大きいオキシデーターＢＮ値を有する少なくとも１つの合成潤滑基油、及び添加剤なしで約５より大きいオキシデーターＡ値及び添加剤の存在下で１０未満のオキシデーターＢＮ値を有する非合成潤滑基油を含む潤滑基油が提供される。
【０００８】
本発明の理解を助けるために、ここで添付の図面を参照する。この図面は単なる例示であって、発明を限定するものと解釈すべきではない。
【発明を実施するための最良の形態】
【０００９】
本発明の潤滑基油は、酸化安定性を提供する。石油製品が酸素と接触する際の自然の劣化に抵抗するこの能力は、添加剤を含まない場合及び特定の用途のために一旦調製した添加剤を含む場合の両方で安定であることが必要な潤滑基油にとって重要な特性である。
【００１０】
以下の定義を、本出願の全範囲にわたって使用する。
【００１１】
用語「潤滑基油」とは、本明細書で使用する場合、米国石油協会交流ガイドライン（Ａｍｅｒｉｃａｎ  Ｐｅｔｒｏｌｅｕｍ  Ｉｎｓｔｉｔｕｔｅ  Ｉｎｔｅｒｃｈａｎｇｅ  Ｇｕｉｄｅｌｉｎｅ）（ＡＰＩ出版物１５０９）に従う物質を指す。
【００１２】
用語「潤滑油ベースストック」とは、潤滑油完成品の製造用として容認される粘度指数及び粘度を有する潤滑基油の範囲内の炭化水素を指す。潤滑油ベースストックは、添加剤と混合されて潤滑油完成品を形成する。
【００１３】
用語「ベースストック」とは、本明細書で使用する場合、供給源又はメーカの所在地とは関係なく、単一のメーカによって同一規格になるように製造され、同一メーカの規格に適合する潤滑油成分を指す。ベースストックは、一般に、唯一の製法、又は製品識別番号、又はその両方によって特定される。ベースストックは、限定はされないが、蒸留、溶剤精製、水素化処理、オリゴマー化、エステル化、及び精製を含む様々な異なる方法を使用して製造することができる。精製したストックは、製造、コンタミネーション又は事前の使用を通じて導入される物質を実質的に含んではならない。
【００１４】
本明細書で使用する場合のベースストックスレートとは、異なる粘度を有しているが同一ベースストックにグループ分けされ、かつ同一メーカからのベースストックの製品群のことである。
【００１５】
ベースオイルとは、ＡＰＩ認可のオイル中に使用されるベースストック又はベースストックの混合物である。
【００１６】
用語「石油誘導型グループＶの潤滑基油」とは、本明細書で使用される場合、８０より低い粘度指数（ＶＩ）を有するＡＰＩ交流ガイドラインのグループＶによって製造し、一般にグループＩ又はＩＩの潤滑基油の製造に使用される方法によって石油から調製される物質を意味する。本出願の目的に対して、石油誘導型グループＶの潤滑基油は、シリコン潤滑油及びエステル潤滑油を除外する。
【００１７】
用語「配送」とは、本明細書で使用する場合、次の手段のいずれか、すなわち、海洋タンカー、鉄道車両、トラック、はしけ、パイプライン、又はそれらの組合せによる潤滑基油の輸送を指す。
【００１８】
用語「貯蔵」とは、本明細書で使用する場合、任意の形の、浮き屋根式もしくは固定屋根式タンク、又は輸送容器、又はドラム、缶もしくはジャーの中に貯蔵することを指す。
【００１９】
用語「潤滑油完成品」とは、本明細書で使用する場合、少なくとも１つの潤滑基油及び少なくとも１つの添加剤の混合物である。
【００２０】
用語［イソパラフィン含量」とは、本明細書で使用する場合、試料中のイソパラフィンの濃度を指す。イソパラフィンとは、枝分れアルカンと定義され、直鎖アルカン及び環状アルカンは含まない。フィッシャー−トロプシュ製品からオレフィン及び酸素添加不純物を取り除いた潤滑基油についてのイソパラフィン濃度は、全体のパラフィン含量をマススペクトル法を使用して測定し、そして許容される流動点を有しており潤滑基油に対して通常は非常に少量の直鎖パラフィンの濃度は、ガスクロマトグラフィによって測定可能なことから測定することができる。イソパラフィンの濃度は、その差によって見出す。イソパラフィンを測定するこれら及び他の方法の参照文献は、Ｋｌａｕｓ  Ｈ．Ａｌｔｇｅｌｔ及びＭｉｅｃｚｙｓｌａｗ  Ｍ．Ｂｏｄｕｓｚｙｎｓｋｉの「重質石油画分の組成と分析（Ｃｏｍｐｏｓｉｔｉｏｎ  ａｎｄ  Ａｎａｌｙｓｉｓ  ｏｆ  Ｈｅａｖｙ  Ｐｅｔｅｒｏｌｅｕｍ  Ｆｒａｃｔｉｏｎｓ）」、Ｍａｒｃｅｌ  Ｄｅｃｋｅｒ  Ｐｕｂｌｉｓｈｅｒｓ，１９９４年の中で見られる。高いイソパラフィン含量の潤滑基油は、添加剤存在下の酸化に対して良好な耐性を有することが期待されるが、添加剤なしでは酸化に対する耐性は多分不十分である。
【００２１】
用語「粘度指数」とは、Ｄ２２７０−９３によって定義される測定値を指す。
【００２２】
用語「合成潤滑基油」とは、本明細書で使用する場合、粗製石油のオイルから抽出及び精製によって生産するのではなく化学的合成によって生産されたオイルを指す。本出願の目的に対して、これは、以下の方法、すなわち、フィッシャー−トロプシュ合成、エチレンのオリゴマー化、直鎖アルファオレフィンのオリゴマー化、及び沸騰性のＣ１０より下のオレフィンのオリゴマー化のいずれかによって製造されたこと以外はＡＰＩ交流ガイドラインに適合する物質を意味する。これは、シリコン潤滑油及びエステル潤滑油を除外する。
【００２３】
用語「合成ガス」とは、本明細書で使用する場合、水素及び一酸化炭素の両方を含む混合物を意味する。これらの種類に加えて、水、二酸化炭素、未転化の軽質炭化水素原料油及び様々な不純物も存在し得る。
【００２４】
潤滑基油の規格は、ＡＰＩ交流ガイドラインの中で定義されている（ＡＰＩ出版物１５０９）。
【００２５】
【表１】
2005503479.tif 000003
【００２６】
グループＩのベースオイルを製造するプラントは、一般に、溶媒を使用して低いＶＩ（粘度指数）の成分を抽出し、原油のＶＩを望ましい規格まで上昇させる。これらの溶媒は、一般に、フェノール又はフルフラールである。溶媒抽出によって飽和物が９０％未満及び硫黄が３００ｐｐｍより多い製品を生じる。潤滑油製品の大部分はグループＩの範疇に入る。
【００２７】
グループＩＩのベースオイルを製造するプラントは、原油のＶＩを規格値まで上げるために、水素化分解又は厳格な水素化精製等の水素化処理を一般に採用する。その水素化処理を使用することにより、一般に、飽和物含量が９０より上まで上がり、硫黄が３００ｐｐｍより下まで低下する。世界の潤滑基油生産高のほぼ１０％が、グループＩＩの範疇に入る。米国の生産高の約３０％が、グループＩＩである。
【００２８】
グループＩＩＩのベースオイルを製造するプラントは、一般にワックス異性化技術を採用して非常に高いＶＩの製品を製造する。出発点のフィードが、ワックス状の減圧経由（ＶＧＯ）又はすべてが飽和物のワックスであって硫黄を殆んど含有しないために、グループＩＩＩの製品は、９０を超える飽和物含量及び３００ｐｐｍより低い硫黄含量を有する。フィッシャー−トロプシュワックスが、グループＩＩＩの潤滑油を製造するワックス異性化工程のための理想的なフィードである。世界の潤滑油供給量のほんの小部分のみが、グループＩＩＩの範疇に入る。
【００２９】
グループＩＶの潤滑基油は、直鎖アルファオレフィンのオリゴマー化によって誘導され、ポリアルファオレフィン（ＰＡＯ）潤滑基油と呼ばれる。グループＶの潤滑基油は、その他のすべてである。このグループは、合成エステル、シリコン潤滑油、ハロゲン化潤滑基油及び８０より低いＶＩ値の潤滑基油を含む。後者は、石油誘導型グループＶ潤滑基油と記すことができる。石油誘導型グループＶ潤滑基油は、一般に、グループＩ及びＩＩの潤滑基油の製造で使用されるものと、条件の厳しさがゆるいことを除けば、同一方法により製造される。
【００３０】
潤滑基油の安定性を測定する便利な方法は、Ｓｔａｎｇｅｌａｎｄ他による米国特許第３，８５２，２０７号に記載されているオキシデーター（Ｏｘｉｄａｔｏｒ）試験を使用するものである。この試験には２つの形態、オキシデーターＢＮ及びオキシデーターＡがある。オキシデーターＢＮは、一般的な酸化防止用添加剤及び使用途中の潤滑油完成品中に一般に見出される金属の酸化促進剤の両方を含む模擬の応用例中の潤滑油の反応を測定する。オキシデーターＡ試験は、酸化防止用添加剤及び金属の酸化促進剤の両方を省くこと以外は同じやり方で実施する。オキシデーターＢＮ試験は、使用中の酸化安定性の尺度であり、オキシデーターＡ試験は、配送中及び貯蔵中の酸化安定性の尺度となる。
【００３１】
上で言及したオキシデーターＢＮは、Ｄｏｒｎｔｅタイプの酸素吸収装置｛Ｒ．Ｗ．Ｄｏｒｎｔｅ、「ホワイトオイルの酸化（Ｏｘｉｄａｔｉｏｎ  ｏｆ  Ｗｈｉｔｅ  Ｏｉｌｓ）」Ｉｎｄｕｓｔｒｉａｌ  ａｎｄ  Ｅｎｇｉｎｅｅｒｉｎｇ  Ｃｈｅｍｉｓｔｒｙ，Ｖｏｌ．２８、２６頁、１９３６年｝により、酸化に対する耐性を測定する試験である。普通、条件は、３４０°Ｆの純粋酸素の１気圧であり、１００ｇのオイルが、１０００ｍｌのＯ２を吸収する時間を記録する。オキシデーターＢＮ試験において、１００ｇのオイル当たり、０．８ｍｌの触媒を使用し、オイル中に添加剤のパッケージを導入する。触媒は、使用済みのクランクケースオイルの平均的な金属の分析結果を模した可溶性ナフテン酸金属塩の混合物である。添加剤パッケージは、オイル１００ｇ当たり、８０ミリモルのビスポリプロピレンフェニルジチオリン酸亜鉛である。オキシデーターＢＮは、模擬の応用例における潤滑油の反応を測定する。高い値、すなわち、１リットルの酸素を吸収するのに掛かる時間が長いことは、安定性が良好なことを示す。一般に、オキシデーターＢＮは、約７時間より上であるべきである。好ましくは、オキシデーターＢＮ値は、約１０時間より大でありたい。本明細書で使用する「添加剤存在下のオキシデーターＢＮ値」という語句及び類似の記述は、オキシデーターＢＮ試験を実施するために使用する上記の添加剤パッケージを意味する。
【００３２】
オキシデーターＡ試験は、オキシデーターＢＮ試験におけると同様の装置を使用する。その違いは、触媒及び添加剤パッケージを省略することである。したがって、オキシデーターＡ試験は、元の潤滑ベースオイルの貯蔵中の酸化安定性を測定するものである。１リットルの酸素を吸着するのに要する時間を示す高い値は、良好な安定性を証明する。１時間を上回るオキシデーターＡの値が要求され、約５時間を上回る値が好ましく、約１０時間より大きい値が最も好ましい。本明細書で使用する「添加剤なしでのオキシデーターＡ値」という語句は、オキシデーターＢＮ試験で使用した添加剤パッケージなしのオキシデーターＡ試験の成績を指す。
【００３３】
酸素の吸収を測定するオキシデーターＡ及びＢＮに加えて、潤滑基油の貯蔵中の安定性を検討する他の方法として、それをオーブン中に貯蔵しその間空気にさらしたときのフロック及び沈殿物の形成を監視するものがある。これは、潤滑基油の貯蔵及び輸送で普通に使用する加熱タンク内の貯蔵を模したものである。５０グラムのオイルをゆるく蓋をした７オンスの瓶に入れ、１５０°Ｆのオーブンに入れる。その試料を、色の増加、又はフロックもしくは沈殿の形成について周期的に点検する。フロック又は沈殿の形成は、容認できないものと見なし、それが起こる時間を失格の時点と見なす。その試験は、貯蔵タンク中の潤滑基油が混ざり合うことを考慮した一般的な経過時間の９０日間にわたって続ける。許容できる材料は、９０日以内には失格することはないであろう。
【００３４】
硫黄含量が約５０ｐｐｍ未満のグループＩＩの潤滑基油及びグループＩＩＩの潤滑基油を貯蔵及び輸送しようと考えるとき、問題を引き起こす場合がある。これらのベースオイルが含有する硫黄濃度は非常に低い。硫黄は天然の酸化防止剤であって、一般的な潤滑基油に一層の安定性を与える。この効果は知られてからかなりの間になる（例えば、Ｆｕｃｈｓ  ａｎｄ  Ｄｉａｍｉｎｄ、Ｉｎ．Ｅｎｇ．Ｃｈｅｍ．，３４：９２７（１９４２））。硫黄が、例えば、２００ｐｐｍ未満、好ましくは、５０ｐｐｍ未満、最も好ましくは、１０ｐｐｍ未満といった非常に低いとき、添加剤なしで輸送及び貯蔵中に、そのオイルが許容できる安定性を有することはできない。グループＩＩ及びグループＩＩＩの潤滑基油の一般的な特徴は、それらが、オキシデーターＢＮ試験により測定すると、潤滑油完成品として使用する途中は、高濃度の飽和物のお陰で優れた安定性を有する点である。しかしながら、その潤滑基油が有する輸送及び貯蔵中の安定性は、オキシデーターＡ試験により試験すると、低濃度の硫黄のために不十分であり得る。この状況は、潤滑基油をフィッシャー−トロプシュ法により製造する場合、さらに一層はっきりとする。この方法は、硫黄が触媒毒となる改質触媒及び炭化水素合成触媒を使用するので、原料油から硫黄を取り除くために大きな努力が払われる。したがって、その製品が有する硫黄は、しばしば非常に低い濃度、例えば５０ｐｐｍ未満及び望ましくは１０ｐｐｍ未満である。この組成が、フィッシャー−トロプシュ法によって製造された潤滑基油を、しばしば、優れたオキシデーターＢＮ安定性を有するけれどもオキシデーターＡ安定性には劣るものにしている。
【００３５】
対照的にグループＩの潤滑基油は、高濃度の硫黄、及び低濃度の飽和物を有する。石油誘導型グループＶの潤滑基油もまたこれらの特性を発揮する。グループＩ及び石油誘導型グループＶの潤滑基油は、一般に、安定性の逆のパターンを示し、それらは中程度又は不十分なオキシデーターＢＮ安定性及び良好なオキシデーターＡ安定性を有する。
【００３６】
本発明は、良好なオキシデーターＡ安定性及びオキシデーターＢＮ安定性を組み合わせた潤滑基油を提供する。これらの潤滑基油は、オキシデーターＡ安定性は不十分であるが良好なオキシデーターＢＮ安定性を有する潤滑基油と、オキシデーターＡ安定性は良好であるがオキシデーターＢＮ安定性が劣る等の逆の性質を有する潤滑基油をブレンドすることによって、調製することが可能なことが明確に発見された。意外にも、オキシデーターＡ値とＢＮ値は、直線的には混ざり合わないで、これらの成分をブレンドすることによって製造された潤滑基油は、個々のベースオイルのいずれに対してよりも優れた特性を有する。
【００３７】
本発明の一実施形態で使用する、オキシデーターＡ安定性に劣り、良好なオキシデーターＢＮ安定性を有する潤滑基油は、硫黄含量が約５０ｐｐｍ未満の任意のグループＩＩの潤滑基油及びグループＩＩＩの潤滑基油から選択することができる。一般に、これらの潤滑基油は、比較的低い硫黄含量、一般的には、約０．０３％以下の硫黄を有するであろう。約５０ｐｐｍより多くを含むグループＩＩの潤滑基油は、十分なオキシデーターＡ安定性、すなわち、約１より大きいオキシデーターＡ値を有することができる。
【００３８】
一実施形態において、潤滑基油は、約５０％より多いイソパラフィン含量を有する任意の合成潤滑基油であり得る。より好ましい実施形態において、合成潤滑基油のイソパラフィン含量は、約７５％より多く、最も好ましくは、約９０％より多くする。
【００３９】
本発明のさらなる実施形態において、潤滑基油は、フィッシャー−トロプシュ法によって得られる合成潤滑基油である。フィッシャー−トロプシュの化学反応において、合成用ガス、すなわち合成ガス、ＣＯ及びＨ２は、適当な温度及び圧力の反応条件下でフィッシャー−トロプシュ触媒と接触することによって液体及び固体の炭化水素に転化する。メタン（及び／又はエタン及びそれより重質の炭化水素）を従来型の合成ガス発生器を通して送ると、合成用ガスを準備することができる。一般的に、合成用ガスは、水素及び一酸化炭素を含有し、少量の二酸化炭素及び／又は水を含む場合もある。硫黄、窒素、ハロゲン、セレン、リン及びヒ素の合成ガス中の汚染物質は、有害である。このため、硫黄及び他の汚染物質を、フィッシャー−トロプシュ化学反応又は他の炭化水素合成を実施する前にフィードから除去することが望ましい。これらの汚染物質を除去する手段は、当業者にはよく知られている。例えば、硫黄不純物を除去するには、ＺｎＯ保護床（ｇｕａｒｄ  ｂｅｄ）が好ましい。その他の汚染物質を除去する手段は、当業者にはよく知られている。
【００４０】
フィッシャー−トロプシュ型の反応を実施するための条件の例は、当業者にはよく知られている。その反応は、一般に、約３００から７００°Ｆ（１４９〜３７１℃）、好ましくは、約４００°から５５０°Ｆ（２０４°〜２２８℃）の温度；約１０から５００ｐｓｉａ（０．７〜３４バール）、好ましくは、３０から３００ｐｓｉａ（２〜２１バール）の圧力及び約１００から１０，０００ｃｃ／ｇ／時間、好ましくは、３００から３，０００ｃｃ／ｇ／時間の触媒空間速度で実施される。その反応は、様々な反応器、例えば、１つ又は複数の触媒床を含有する固定床反応器、スラリー反応器、流動床反応器、又は異なるタイプの反応器の組合せの中で実施することができる。製品は、Ｃ１からＣ１００＋までの範囲をとり、大部分が、Ｃ５〜Ｃ１００＋の範囲のものであり得る。
【００４１】
しかして、フィッシャー−トロプシュ型製品又は方法という用語は、フィッシャー−トロプシュ法及びフィッシャー−トロプシュ製品並びにそれの様々な修正及びその製品に適用することを意図している。
【００４２】
本発明で使用する、良好なオキシデーターＡ安定性及び不十分なオキシデーターＢＮ安定性を有する潤滑基油は、任意のグループＩ又は石油誘導型グループＶの潤滑基油から選択することができる。一実施形態においては、約５０ｐｐｍより多い硫黄含量を有するグループＩＩの潤滑基油も使用することができるが、それは、高濃度の硫黄を含み適切なオキシデーターＡ値を有するこのグループからの潤滑基油が存在するからである。特に、グループＩのオイルに由来する潤滑基油は、化学合成からではなく、非合成すなわち粗製石油から抽出及び精製することにより得ることができる。グループＩのオイルに由来する好ましい潤滑基油は、比較的高い硫黄濃度を含有するものである。より具体的には、これらの潤滑基油は、約３００ｐｐｍより多い硫黄含量を有するグループＩの潤滑基油である。好ましい実施形態においては、グループＩの潤滑基油は、約７００ｐｐｍより多い硫黄含量を有する。
【００４３】
本発明で使用するブレンドの正確な割合は、２つのブレンドする液流の組成に依存する。２つのベースオイルをブレンドするので、得られる製品もまたＡＰＩガイドラインによるベースオイルと見なすことができる。好ましい実施形態においては、その潤滑基油は、最終の潤滑基油が、約２０％から約９９．９％までの合成潤滑基油及び約０．１％から約８０％までの非合成潤滑基油を含有するようにブレンドする。好ましくは、本発明の１実施例の潤滑基油は、約７０から約９９％までの合成潤滑基油及び約１から約３０％までの非合成潤滑基油を有する。
【００４４】
本発明の潤滑基油の粘度は、４０℃で約３センチストークス（ｃＳｔ）より上、好ましくは、４０℃で約３と約５００ｃＳｔの間である。望ましい粘度は、潤滑基油の最終用途及び潤滑油完成製品を得るために利用する添加剤に依存する。
【００４５】
本発明の潤滑基油は、潤滑油組成物完成品中に使用することができ、かくして、そのオイルの特定の用途に応じて１つ又は複数の添加剤を含有することができる。本発明によってオイルをブレンドすることにより、添加剤使用の有無にかかわらず、良好な安定性を有する組成物が提供されることがわかった。しかしながら、上記オイルの最終ユーザーは、特定の最終用途のためにある一定の添加剤を求める場合がある。これらの添加剤は、当業者には知られている。例えば、それらの添加剤としては、数ある中で、清浄剤、分散剤、酸化防止剤、耐磨耗添加剤、流動点降下剤、ＶＩ改良剤、摩擦調節剤、抗乳化剤、泡止め剤、又は腐食抑制剤が挙げられる。一般的には、添加剤は、摩擦調節剤、流動点降下剤、及び清浄剤である。その添加剤は、当業者には知られている、好ましくは、最終潤滑油製品の約０．１から約４０重量％までの量で使用する。
【００４６】
本発明を、特に有利な方法の実施形態を示す以下の実施例によってさらに説明する。本発明を説明するために実施例を提供するが、それらは本発明を限定することを意図するものではない。
【実施例】
【００４７】
２つの潤滑基油を得た。そのオイルの１つはフィッシャー−トロプシュ法により調達し、他は、エクソンコーポレーション（Ｅｘｘｏｎ  Ｃｏｒｐｏｒａｔｉｏｎ）からの従来のグループＩのベースオイルであった。これらベースオイルの特性を表Ｉに示す。
【００４８】
【表２】
2005503479.tif 000004
【００４９】
２つの潤滑基油のブレンドを調製し、オキシデーターＡ及びＢＮ試験で以下の結果の評価をした。高い値、すなわち、１リットルの酸素を吸着する長い時間は、良好な安定性を示す。７時間を上回り、好ましくは、１０時間を上回るオキシデーターＢＮの値が求められる。１時間を上回り、好ましくは５時間を上回り、そして最も好ましくは１０時間を上回るオキシデーターＡの値が求められる。図１は、フィッシャー−トロプシュのベースオイルと従来のベースオイルのブレンドで金属促進剤及び酸化防止剤を添加したものの酸化安定性のグラフ表示を提示している。図２は、金属促進剤又は酸化防止剤が存在しないブレンドの酸化安定性のグラフ表示を提示している。表ＩＩは、各ベースオイルの容量％及び重量％並びに各ブレンドから得られたオキシデーターＡ試験、オキシデーターＢＮ試験及びオーブン貯蔵試験の結果を示している。
【００５０】
【表３】
2005503479.tif 000005
【００５１】
酸化安定性の結果は、両方共、図Ｉ及び図ＩＩの対数方眼紙にグラフで示したように、著しく変化する。２０％の従来型ベースオイルをフィッシャー−トロプシュベースオイルに加えることにより、オキシデーターＡ安定性が、１桁を超え、殆んど２桁増大した。５と５０容量％の間のフィッシャー−トロプシュベースオイルを含有するブレンドもまた、従来型のベースオイルより良好なオキシデーターＡ安定性を有していた。
【００５２】
データは、一定のブレンドにより、添加剤なし及び添加剤ありの両方の安定性の予想外の同時の増加が得られることを示している。この改良を生み出すブレンドの組成は、個々のベースストックの性質に依存するであろう。
【００５３】
フィッシャー−トロプシュベースオイルのみの試料は、試験で７０日目に沈殿を形成し失格した。従来型のベースオイル及びフィッシャー−トロプシュベースオイルとのブレンドのすべては、試験に合格した。このことは、わずか１容量パーセントの従来型ベースオイルをフィッシャー−トロプシュベースオイルに添加することで、さもなければ十分な安定性を持たなかったはずの材料から十分な貯蔵安定性を有するものを製造することができることを立証している。多分、使用する材料によっては、さらに少量でさえ貯蔵安定性を改良するのに有効であり得る。本発明は、特定の実施形態に関して記述したが、本出願は、添付の請求項の精神及び範囲から逸脱することなく当業者によってなすことができる様々な変更及び置き換えも対象とすることを意図している。
【図面の簡単な説明】
【００５４】
【図１】実施例１に記載した金属促進剤及び酸化防止剤の両方を含有する潤滑基油の酸化安定性のグラフ表示である。
【図２】実施例１に記載した金属促進剤又は酸化防止剤を含まない潤滑基油の酸化安定性のグラフ表示である。
【図１】
2005503479.tif 000006
【図２】
2005503479.tif 000007
【国際公開パンフレット】
2005503479.tif 000008
2005503479.tif 000009
2005503479.tif 000010
2005503479.tif 000011
2005503479.tif 000012
2005503479.tif 000013
2005503479.tif 000014
2005503479.tif 000015
2005503479.tif 000016
2005503479.tif 000017
2005503479.tif 000018
2005503479.tif 000019
2005503479.tif 000020
2005503479.tif 000021
2005503479.tif 000022
2005503479.tif 000023
2005503479.tif 000024
2005503479.tif 000025
2005503479.tif 000026
【国際調査報告】
2005503479.tif 000027